(57)【特許請求の範囲】
【請求項１】
複数の交換機と該交換機間の経路制御を行う交換機制御装置とを備えた回線交換網と、ネットワーク通信プロトコルを有し、複数のゲートウェイと該ゲートウェイ間の経路制御を行うゲートキーパとを備えた相互接続網とが相互接続されているシステム内で、前記交換機制御装置及び前記ゲートキーパと通信できる網間経路制御装置であって、
呼毎に、迂回可能な経路手順を分類するクラスと、迂回可能な複数の経路手順とを有する経路テーブルと、
呼接続時及び呼接続中に、該呼の有する前記クラスが前記相互接続網に関わる迂回接続又は再配置を許容する場合に該クラスに従って、前記交換機制御装置から通知される前記複数の経路手順の経路についての輻輳及び障害の状況、並びに前記ゲートウェイから通知される前記複数の経路手順の経路についてのパケットの到着間隔又はパケット廃棄率に基づいて判断された輻輳及び障害の状況に応じて呼の経路が変更されるように制御する経路制御手段と
を有することを特徴とする網間経路制御装置。
【請求項２】
前記クラスは、
クラス１：呼接続時に前記回線交換網でのみ迂回接続可であり、呼接続中に該回線交換網でのみ再配置可、
クラス２：呼接続時に前記回線交換網でのみ迂回接続可であり、呼接続中に前記相互接続網への再配置可、
クラス３：呼接続時に前記回線交換網から前記相互接続網への迂回接続可であり、呼接続中に該回線交換網及び該相互接続網で相互に再配置可、
クラス４：呼接続時に前記相互接続網から前記回線交換網への迂回接続可であり、呼接続中に該相互接続網及び該回線交換網で相互に再配置可
であることを特徴とする請求項１に記載の網間経路制御装置。
【請求項３】
前記複数の経路手順は、優先順にリストされていることを特徴とする請求項１又は２に記載の網間経路制御装置。
【請求項４】
前記経路制御手段は、呼接続中の通話者の経路変更通知によって迂回制御することを特徴とする請求項１から３のいずれか１項に記載の網間経路制御装置。
【請求項５】
前記経路制御手段は、前記交換機制御装置及び前記ゲートウェイから当該経路の輻輳の通知を受けた際に、該経路の輻輳を引き起こしている複数の呼の中から、経路の変更が可能なクラスを有する呼について、該呼の経路を変更するように制御することを特徴とする請求項１から４のいずれか１項に記載の網間経路制御装置。
【発明の詳細な説明】
【０００１】
【発明の属する技術分野】
本発明は、複数の交換機と該交換機間の経路制御を行う交換機制御装置とを備えた回線交換網と、ネットワーク通信プロトコルを有する相互接続網とが複数のゲートウェイを介して相互接続されているシステム内で、該交換制御装置と該ゲートウェイと通信できる網間の経路を制御するための装置に関する。
【０００２】
【従来の技術】
従来、電話網、統合デジタル網、移動体通信網又は私設通信網のような回線交換網（以下「電話網」と略す）では、当該交換機に到着した呼は、複数の交換機間で定められた経路手順に基づいて、呼接続される。ＩＮ(Intelligent Network) 設備で構築された電話交換システムでは、多くの交換機を制御するための交換機制御装置を有しており、該交換機制御装置が経路手順の情報を有している。
【０００３】
一方、インターネット、ＬＡＮ又はＷＡＮのようなネットワーク通信プロトコルを有する相互接続網（以下「インターネット」と略す）では、音声呼を接続する複数のゲートウェイが備えられている。当該ゲートウェイに到着した呼は、指定された着信先番号に相当するゲートウェイに呼接続される。ゲートウェイは、呼接続先ゲートウェイを、ゲートウェイのアドレステーブルを有するゲートキーパに問い合わせて確定する。
【０００４】
更に、インターネット電話システムに用いられるような電話網とインターネットとを接続したシステムは、電話網からインターネットへ迂回した経路をとるものである。但し、電話網からアクセスされる迂回のためのインターネットのゲートウェイは予め特定されている。
【０００５】
【発明が解決しようとする課題】
しかし、電話網とインターネットとを接続した交換システムは、それぞれの網が独自の経路手順の情報を有しているために、システム全体で経路手順を決定することはできない。つまり、電話網の交換機制御装置は、ある呼の経路をインターネットを介するように制御することは可能であるが、該インターネットの輻輳状況及び伝送路障害状況を把握することができない。一方、インターネットのゲートキーパはアドレステーブルを有するだけなので、適切な経路手順を指定できるものでもない。
【０００６】
また、電話網において呼接続中に、当該交換機間で輻輳又は回線障害が発生すると、当該呼は呼損となってしまう。一方、電話網の交換機がインターネットを介して呼接続されている場合に、当該ゲートウェイ間で伝送路品質が低下したとしても、そのまま通話を継続するしかない。従って、呼接続中の経路において輻輳又は回線障害が発生すると、一度呼を終了させ、別途発呼する必要があり、利用者にとっては大変不都合な問題であった。
【０００７】
更に、電話網からアクセスされるゲートウェイは予め特定されているので、インターネットにおける輻輳又伝送路障害によって、電話網からアクセスするゲートウェイを選択することもできない。
【０００８】
加えて、電話網において輻輳及び回線障害が発生した場合に、新規呼を自動的にインターネットへ迂回させる方法もない。
【０００９】
そこで、本発明は、電話網とインターネットとが接続された交換システムにおいて、システム全体の経路手順を制御することが可能な網間経路制御装置を提供することを目的とする。これにより、呼の経路手順を、伝送路品質状況、輻輳状況又は時間帯等の所定の条件に従って変更することが可能となる。
【００１０】
【課題を解決するための手段】
本発明による網間経路制御装置は、呼毎に、迂回可能な経路手順を分類するクラスと迂回可能な複数の経路手順とを有する経路テーブルと、呼接続時及び呼接続中に、この呼の有するクラスが相互接続網に関わる迂回接続又は再配置を許容する場合にこのクラスに従って、交換機制御装置から通知される複数の経路手順の経路についての輻輳及び障害の状況、並びにゲートウェイから通知される複数の経路手順の経路についてのパケットの到着間隔又はパケット廃棄率に基づいて判断された輻輳及び障害の状況に応じて呼の経路が変更されるように制御する経路制御手段とを有するものである。
【００１１】
本発明の他の実施形態の網間経路制御装置によれば、クラスは、
クラス１：呼接続時に回線交換網でのみ迂回接続可であり、呼接続中に該回線交換網でのみ再配置可、
クラス２：呼接続時に回線交換網でのみ迂回接続可であり、呼接続中に相互接続網への再配置可、
クラス３：呼接続時に回線交換網から相互接続網への迂回接続可であり、呼接続中に該回線交換網及び該相互接続網で相互に再配置可、
クラス４：呼接続時に相互接続網から回線交換網への迂回接続可であり、呼接続中に該相互接続網及び該回線交換網で相互に再配置可
である。
【００１２】
本発明の他の実施形態の網間経路制御装置によれば、前記複数の経路手順は、優先順にリストされているものである。
【００１３】
本発明の他の実施形態の網間経路制御装置によれば、経路制御手段は、呼接続中の通話者の経路変更通知によって迂回制御するものである。
【００１４】
本発明の他の実施形態の網間経路制御装置によれば、経路制御手段は、交換機制御装置及びゲートウェイから当該経路の輻輳の通知を受けた際に、該経路の輻輳を引き起こしている複数の呼の中から、経路の変更が可能なクラスを有する呼について、該呼の経路を動的に変更するように制御するものである。
【００１７】
【発明の実施の形態】
以下、図面に基づいて、本発明の実施形態を詳細に説明する。
【００１８】
図１は、本発明による網間経路制御装置を有した、電話網とインターネットとからなる交換システムの構成図である。
【００１９】
図１によれば、電話網は、電話機１６０及び１６１と、交換機１１０、１１１及び１１２と、交換機制御装置１２０及び１２１とから構成される。また、該電話網とインターネットとを接続するために、ゲートウェイ１３０、１３１、１３２及び１３３とを有している。
【００２０】
更に、交換機制御装置１２０及び１２１とインターネットとに接続された網間経路経路制御装置１５０を有している。該網間経路制御装置１５０は、インターネットにおけるゲートキーパ１４０の機能をも有するものである。
【００２１】
ＩＮ設備における交換機制御装置１２０及び１２１は、電話網内の複数の交換機の経路テーブルを有している。例えば、通常、電話機１６０と１６１とが呼接続される場合、交換機制御装置１２０及び１２１は、直通ルートであるルート４で呼接続されるように制御する。但し、該交換機制御装置１２０及び１２１は、ルート４において輻輳及び回線障害が発生した場合、交換機１１１を介したルート５で迂回するように制御することもできる。
【００２２】
一方、網間経路制御装置１５０は、経路テーブルを有している。例えば、発信先ゲートウェイ１３０は、交換機から通知された着信先番号によって、網間経路制御装置１５０に問い合わせて、着信先ゲートウェイ１３１のアドレスを得る。該アドレスによってルート１を選択することができる。このシステムでは、呼毎に迂回可能な経路手順を示すクラスが設定されている。経路テーブルは、接続中の呼毎のクラスと、優先順にリストされた迂回可能な複数の経路手順とを有している。
【００２３】
網間経路制御装置１５０は、更に、経路制御手段を有している。該経路制御手段は、該呼接続を維持した状態で、該クラスに従って、複数の経路手順の経路の品質劣化状況によって最適な経路が動的に変更されるように制御するものである。
【００２４】
クラス１の呼は、呼接続時に電話網でのみ迂回接続可であり、呼接続中に電話網でのみ再配置可である。これらの制御は、通常、交換機制御装置において行われる。例えば、図１において、ルート４で呼接続中にルート５への再配置制御は、交換機制御装置１２０及び１２１によって行われる。
【００２５】
クラス２の呼は、呼接続時に電話網でのみ迂回接続可であり、呼接続中にインターネットへの再配置可として経路制御できる。
【００２６】
図２は、網間経路制御装置における、呼接続を維持したまま、電話網からインターネットへ再配置する制御シーケンス図である。
【００２７】
第１に、電話網において、クラス２の呼がルート４で呼接続されている。
【００２８】
第２に、交換機１１０から交換機１１２へのルートが全塞がりである場合に、該交換機１１０に対してクラス１の新規呼が発生したとする。該新規呼が発生したことは、交換機制御装置１２０へ通知される。該交換機制御装置１２０は、新規呼がクラス１であるために、電話網内で呼接続しなけばならないと判断する。従って、該交換機制御装置１２０は、ルート４で接続中の呼について、インターネットへ再配置することが可能なクラス２の呼を選択する。そして、選択されたクラス２の呼を再配置するべく、交換機制御装置１２０は、着側交換機１１２の交換機制御装置１２１に対して「特殊着信番号Ｖ」を通知する。発側交換機１１０は「発信側再配置中１」状態に遷移し、着側交換機１２１は「着信側再配置中１」状態に遷移する。
【００２９】
第３に、発側交換機１１０は、ゲートウェイ１３０に対して、交換機１１２までの通話パスを設定するよう発呼する。ゲートウェイ１３０は、発側交換機１１０から通知された着信先番号を用いて、経路テーブルを有する網間経路制御装置１５０へ問い合わせることにより、着側ゲートウェイ１３１のインターネットアドレスを取得する。これにより、該アドレスを用いて、発側ゲートウェイ１３０と着側ゲートウェイ１３１とが呼接続され、交換機１１０と交換機１１２とがルート１で呼接続される。この新たに設定されたパスを「再配置先パス」と称す。交換機１１２は、該再配置先パスを電話機１６１へ呼接続する。
【００３０】
第４に、交換機１１０は、ゲートウェイ１３０から再配置先パスの確立を意味する応答信号（ＡＮＳ）を受信したならば、電話機１６０とルート４の呼接続を開放し、電話機１６０と再配置先パスとを呼接続する。そして、発側交換機１１０は、「発信側再配置中２」状態に遷移する。
【００３１】
第５に、交換機１１０は、ルート４の呼接続経路を開放するために、交換機１１０は交換機１１２へ終話信号（ＲＬＳ）を送信する。該終話信号を受信した交換機１１２は、ルート４の呼接続が開放されることを確認する。そして、交換機１１０及び交換機１１２は「通話中」状態に遷移する。
【００３２】
このような再配置は、例えばルート４における回線障害においても、同様のシーケンスによって実現できる。ルート４において回線障害が発生したならば、電話機１６０及び１６１を一時的にトーキ装置に接続し、再配置中であることを通話者に通知する。その間に、前述した手順で再配置先パスを設定する。該パスの設定が完了すると、該電話機１６０及び１６１は、トーキ装置から外され、該再配置先パスと接続される。
【００３３】
クラス３の呼は、呼接続時に電話網からインターネットへの迂回接続可であり、呼接続中の障害について電話網及びインターネットで相互に再配置可として経路制御できる。
【００３４】
図３は、網間経路制御装置における、呼接続を維持したまま、インターネットから電話網へ再配置する制御シーケンス図である。
【００３５】
第１に、インターネットにおいて、クラス３の呼がルート１で呼接続されている。
【００３６】
第２に、ゲートウェイ１３０又は１３１が、伝送路の輻輳及び障害を検出した場合、該ゲートウェイは、その旨を網間経路制御装置１５０へ通知する。該網間経路制御装置１５０は、クラス３の呼を電話網へ再配置するために、交換機制御装置１２０及び１２１へ通知する。
【００３７】
第３に、クラス２の呼について再配置するべく、交換機制御装置１２０は、着側交換機１１２の交換機制御装置１２１に対して「特殊着信番号Ｗ」を通知する。発側交換機１１０は「発信側再配置中１」状態に遷移し、着側交換機１２１は「着信側再配置中１」状態に遷移する。
【００３８】
第４に、交換機１１０は、交換機１１２から再配置先パスの確立を意味する応答信号（ＡＮＳ）を受信したならば、電話機１６０とゲートウェイ１３０への呼接続を開放し、電話機１６０と再配置先パスとを呼接続する。そして、発側交換機１１０は、「発信側再配置中２」状態に遷移する。
【００３９】
第５に、交換機１１０は、ルート１の呼接続経路を開放するために、ゲートウェイ１３０へ終話信号（ＲＬＳ）を送信する。該終話信号を受信したゲートウェイ１３０は、ルート１の呼接続が開放されることを確認する。そして、交換機１１０及び交換機１１２は「通話中」状態に遷移する。
【００４０】
図４は、網間経路制御装置、交換機制御装置及びゲートウェイの機能構成図である。
【００４１】
交換機制御装置は、接続制御機能部１２０ａと再配置要求部１２０ｂとからなる。接続制御機能部１２０ａは、網間経路制御装置からの指示に基づいて、電話網側の呼接続を制御するものである。再配置要求部１２０ｂは、交換機制御装置において呼の再配置要因が発生した場合に、網間経路制御装置に再配置要求を通知するものである。
【００４２】
ゲートウェイは、呼制御実行部１３０ａと、パケット分解／組立部１３０ｂと、パケット送受信部１３０ｃと、パケット遅延監視手段１３０ｄと、再配置要求部１３０ｅとからなる。呼制御実行部１３０ａは、相手側ゲートウェイ又は交換機との呼接続制御を行うものである。パケット分解／組立部１３０ｂは、それぞれの網のデータ形式に合わせて相互にプロトコル変換するものである。パケット送受信部１３０ｃは、インターネット側のルータ等の中継装置又は端末装置とデータを送受信するものである。パケット遅延監視手段１３０ｄは、受信されるパケットの到着間隔を計測しており、このパケット到着間隔値の時系列データを処理し、事前に定められた判断規則に基づいて当該片方向通話パスの品質が正常か異常かを判定する。再配置要求部１３０ｅは、パケット遅延監視手段１３０ｄからの直通ルート及び中継ルートに関する伝送路品質の判定に基づいて、直通呼及び中継呼に関する再配置要求を網間経路制御装置に通知するものである。
【００４３】
網間経路制御装置は、経路テーブル１５０ａと、経路テーブル変更手段１５０ｂと、経路制御手段１５０ｃと、再配置メモリ部１５０ｄと、電話網側再配置要求検出部１５０ｅと、インターネット側再配置要求検出部１５０ｆとからなる。経路テーブル変更手段１５０ｂは、経路テーブル１５０ａの内容を変更するものである。再配置メモリ部１５０ｄは、再配置手順を記憶しているものである。電話網側再配置要求検出部１５０ｅは、交換機制御装置からの再配置要求を受信するものであり、インターネット側再配置要求検出部１５０ｆは、ゲートウェイからの再配置要求を受信するものである。
【００４４】
交換機制御装置１２０において、呼の再配置要因が発生したならば、再配置要求部から、網間経路制御装置１５０の電話網側再配置要求検出部へ、再配置要求が通知される。該電話網再配置要求検出部は、交換機制御装置１２０から再配置要求があったことを経路制御手段１５０ｃへ通知する。該経路制御手段は、当該呼の現在のルート及びクラスを経路テーブルから検出する。該クラスが再配置可能な設定であれば、再配置処理メモリ部に格納されている再配置手順に従って制御する。
【００４５】
網間経路制御装置の有する経路テーブルは、ゲートウェイ間のリンクの連続である経路毎に、経路選択優先順序（例えば、ルート１、ルート２、ルート３の順）を予め有している。通常、経路のゲートウェイの段数が少ない順に、経路選択優先順序を定める。該ゲートウェイの段数が変化すれば、その後、経路テーブルの経路選択優先順序が変更される。従って、常に、その時点の伝送路状況から最も有効な経路が最優先に選択される。
【００４６】
前述したゲートウェイのパケット遅延監視手段１３０ｄによって、ゲートウェイ及び交換機間又はゲートウェイ間の伝送路の輻輳及び障害を検出することができる。この検出結果に基づいて、呼の再配置制御が可能となる。ここで、パケット遅延監視手段１３０ｄの処理内容について説明する。
【００４７】
パケット遅延監視手段は、自ゲートウェイと他ゲートウェイ又は交換機と間のリンクｑのパケットの到着間隔Ｔを観測し、その間隔が、連続してＭ回、ある閾値Ｓを越えた場合に、その経路が輻輳状態にあると判断する。リンクとは、交換機とゲートウェイとの間又は２つのゲートウェイ間の１つの経路をいう。
【００４８】
そして、パケット遅延監視手段は、他ゲートウェイから受信するパケットのシーケンス番号を調べて、パケット廃棄を監視する。例えば、受信すべきパケットＸ個に対して実際に受信したパケット数Ｚを計測し、測定されたパケット廃棄率Ｌ＝（Ｘ−Ｚ）／Ｘが、Ｌ＜ｈとなった時点で、当該経路が輻輳状態にあると判断する。ここで、ｈは、輻輳状態の判定のために事前に設定される閾値である。
【００４９】
輻輳状態と判定されたリンクｑは「閉塞」状態と設定される。その後輻輳状態から回復したと判定されたならば、該リンクｑは「平常」状態と設定される。
【００５０】
経路（複数のリンクの連続）におけるいずれかのリンクが「閉塞」状態ならば、その経路は「閉塞」状態とする。いずれのリンクも「閉塞」状態でなければ、その経路は「平常」状態とする。
【００５１】
ある経路が「閉塞」状態になったならば、パケット遅延監視手段１３０ｄは、その旨を網間経路制御装置１５０の経路テーブル変更手段１５０ｂに通知する。
【００５２】
経路テーブル変更手段１５０ｂは、当該経路が「閉塞」状態であるとの通知を受けると、経路テーブル１５０ａの当該経路に「使用不可」マークを付ける。従って、発信側ゲートウェイは、再配置又は迂回のためにその経路を使用しない。
【００５３】
一方、「閉塞」状態にある経路が「平常」状態に回復したならば、パケット遅延監視手段１３０ｄは、その旨を網間経路制御装置１５０の経路テーブル変更手段１５０ｂに通知する。
【００５４】
経路選択変更部１５０ｂは、当該経路が「平常」状態であるとの通知を受けると、経路テーブル１５０ａの当該経路の「使用不可」マークを解除する。従って、発信側ゲートウェイは、再配置又は迂回のためにその経路を使用できるようになる。
【００５５】
また、網間経路制御装置の経路テーブル変更手段１５０ｂは、所定の時間帯（例えば、１時間）毎に、過去の経路毎の「平常」又は「閉塞」状態に関する統計データから、経路テーブルの経路選択順序を変更することができる。例えば、経路テーブル変更手段１５０ｂは、当該経路毎に、時間帯毎の「閉塞」対「平常」状態時間比率を過去の通知データから計算しておく。そして、当該時間帯の開始時点においては、当該時間帯でのこの「閉塞」対「平常」状態時間比率の小さい順に経路選択順序を決定し、その結果を経路テーブルに通知して、当該の経路テーブルを更新し保持させることもできる。
【００５６】
クラス４の呼は、呼接続時についてインターネットから電話網への迂回接続可であり、呼接続中の障害について電話網及びインターネットで相互に再配置可として経路制御できる。
【００５７】
図５は、網間経路制御装置による、電話網とインターネットとの相互経路制御を表す交換システム構成図である。
【００５８】
図５によれば、インターネットに接続されたパーソナルコンピュータのような端末の再配置又は迂回の経路が記載されている。例えば、端末１７０と端末１７１との間のクラス３の呼の経路について、通常、経路は、直通ルートであるルート６で呼接続される。但し、輻輳又は障害が発生した場合には、当該呼は、電話網を介するルート７に再配置されることが可能である。
【００５９】
また、例えば、端末１７０と電話機１６０との間のクラス３の呼の経路について、通常、経路は、直通ルートであるルート８で呼接続される。但し、輻輳又は障害が発生した場合には、当該呼は、ゲートウェイ１３１及び交換機１１２を介するルート９に再配置されることが可能である。
【００６０】
呼の再配置は、通話者の経路変更通知によっても可能である。例えば、通話者は、雑音等によって通話状況に不快感を生じた場合、電話機のフックフラッシュ等によって経路を再配置することができる。このフックフラッシュ等は、交換機で検出され、交換機制御装置に通知され、該交換機制御装置の再配置要求部１２０ｂによって網間経路制御装置に通知される。
【００６１】
また、端末がパーソナルコンピュータ等である場合は、該端末から直接、ゲートウェイに対して再配置指示信号を用いて再配置を要求することもできる。この指示は、ゲートウェイで検出され、該ゲートウェイの再配置要求部１３０ｅによって網間経路制御装置に通知される。
【００６２】
図６は、網間経路制御装置による、電話網とインターネットとが複合的に相互接続された相互経路制御を表す交換システム構成図である。
【００６３】
図６によれば、１つの交換機に複数のゲートウェイが接続されている。従って、このシステムの網間の交換機とゲートウェイとの間の伝送路において最も輻輳状態を生じやすいという問題も回避される。再配置又は迂回経路の選択肢も増加する。
【００６４】
前述したように、電話網の交換機制御装置とインターネットのゲートウェイとを相互に接続して、両網間で接続中の呼を他方の交換網のある経路へ接続替え（再配置）する手段と、両交換網間で呼ルーティングを自動的に相互に利用しあう手段とが実現できる。
【００６５】
以上、詳細に説明した実施形態では電話網とインターネットとの相互接続を例にとり説明したが、回線交換網と相互接続網とが接続された環境での適用において、本発明の技術思想及び見地の範囲の種々の変更、修正及び省略は、当業者によれば容易に行うことができる。従って、前述した実施形態は、あくまで例であって、何等制約しようとするものではない。本発明は、特許請求の範囲及びその均等物として限定するものだけに制約される。
【００６６】
【発明の効果】
本発明による回線交換網と相互接続網とを接続した交換システムは、網間経路制御装置を有しているために、システム全体で経路手順を決定することができる。また、それぞれの網の伝送路の輻輳及び障害状況によって、再配置又は迂回制御することができる。従って、呼損率が低下し、通話品質が向上される。
【図面の簡単な説明】
【図１】本発明による網間経路制御装置を有した、電話網とインターネットとからなる交換システム構成図である。
【図２】図１の網間経路制御装置における、電話網からインターネットへの再配置制御シーケンス図である。
【図３】図１の網間経路制御装置における、インターネットから電話網への再配置制御シーケンス図である。
【図４】図１の交換機制御装置、網間経路制御装置及びゲートウェイの機能構成図である。
【図５】図１の網間経路制御装置による、電話網とインターネットとの相互経路制御を表す交換システム構成図である。
【図６】図１の網間経路制御装置による、電話網とインターネットとが複合的に相互接続された相互経路制御を表す交換システム構成図である。
【符号の説明】
１１０、１１１、１１２  交換機
１２０、１２１  交換機制御装置
１２０ａ  接続制御機能部
１２０ｂ  再配置要求部
１３０、１３１、１３２、１３３  ゲートウェイ
１３０ａ  呼制御実行部
１３０ｂ  パケット分解／組立部
１３０ｃ  パケット送受信部
１３０ｄ  パケット遅延監視手段
１３０ｅ  再配置要求部
１４０  ゲートキーパ
１５０  網間経路制御装置
１５０ａ  経路テーブル
１５０ｂ  経路テーブル変更手段
１５０ｃ  経路制御手段
１５０ｄ  再配置処理メモリ部
１５０ｅ  電話網側再配置要求検出部
１５０ｆ  インターネット側再配置要求検出部
１６０、１６１  電話機
１７０、１７１  パーソナルコンピュータ
【図１】
0003829467.tif 000002
【図２】
0003829467.tif 000003
【図３】
0003829467.tif 000004
【図４】
0003829467.tif 000005
【図５】
0003829467.tif 000006
【図６】
0003829467.tif 000007